(57)【要約】      （修正有）【課題】給排気弁とともにアキュムレータに装着されて、雰囲気温度が高温になったときに給排気弁を開弁させてアキュムレータ内の封入ガスＧを大気開放する安全キャップにおいて、給排気弁の閉弁時に漏洩するガスＧをシール可能な安全キャップを提供する。【解決手段】ヒューズメタル１８が溶解せずピストン１１が移動せず給排気弁６３が閉弁しているときに給排気弁６３を漏洩したガスＧがガス吹出口７に到達するのを抑制するとともに、ヒューズメタル１８が溶解しピストン１１が移動し給排気弁６３が開弁したときに給排気弁６３から排出されたガスＧを流通させるシール部２１を設ける。【選択図】図２
0003119724.tif 000002
【実用新案登録請求の範囲】
【請求項１】
給排気弁（６３）とともにアキュムレータ（６１）に装着されて、雰囲気温度が高温になったときに前記給排気弁（６３）を開弁させて前記アキュムレータ（６１）内の封入ガス（Ｇ）を大気開放する安全キャップ（１）であって、
ガス吹出口（７）を設けたキャップボディ（２）の内部に移動自在に配置されるとともに一方向に移動したときに前記給排気弁（６３）を押圧して開弁させるピストン（１１）と、前記ピストン（１１）を一方向に弾性付勢するバネ（１６）と、前記ピストン（１１）の一方向への移動を阻止する位置に配置されるとともに雰囲気温度が高温となったときに溶解して前記ピストン（１１）の移動を許容するヒューズメタル（１８）とを有し、
更に、前記ヒューズメタル（１８）が溶解せず前記ピストン（１１）が移動せず前記給排気弁（６３）が閉弁しているときに前記給排気弁（６３）を漏洩したガス（Ｇ）が前記ガス吹出口（７）に到達するのを抑制するとともに、前記ヒューズメタル（１８）が溶解し前記ピストン（１１）が移動し前記給排気弁（６３）が開弁したときに前記給排気弁（６３）から排出されたガス（Ｇ）を流通させるシール部（２１）を有することを特徴とする安全キャップ。
【請求項２】
請求項１の安全キャップ（１）において、
シール部（２１）は、作動に伴い相対変位するピストン（１１）およびキャップボディ（２）間に配置されるＯリング等のパッキン（２２）を有することを特徴とする安全キャップ。
【請求項３】
請求項１の安全キャップ（１）において、
ピストン（１１）は、給排気弁（６３）の弁棒（６４）を押圧するピストンロッド（１３）を有し、
キャップボディ（２）は、前記ピストンロッド（１３）を挿通する内向きフランジ部（５）と、この内向きフランジ部（５）の内面に開口するガス吹出口（７）とを有し、
シール部（２１）は、前記ピストンロッド（１３）に装着されて前記内向きフランジ部（５）の内面に摺動自在に密接するＯリング等のパッキン（２２）を有し、
前記パッキン（２２）は、ヒューズメタル（１８）が溶解してピストン（１１）が移動したときに前記内向きフランジ部（５）の内面から外れてガス（Ｇ）の流れを許容する位置に設けられていることを特徴とする安全キャップ。
【考案の詳細な説明】
【技術分野】
【０００１】
本考案は、安全キャップに係り、更に詳しくは、給排気弁とともにアキュムレータに装着される安全キャップに関するものである。
【背景技術】
【０００２】
例えば油圧配管に蓄圧装置または脈圧吸収装置等として用いられるアキュムレータの内部には窒素ガス等の高圧ガスが封入されており、よって万一火災等により雰囲気温度が上昇すると爆発する危険があるので、これに備えて封入ガスを大気開放する安全装置が設けられている（特許文献１参照）。
【０００３】
図４は、この種の安全装置の一例として、給排気弁６３とともにアキュムレータ６１のガス封入口６２に装着される安全キャップ５１の従来例を示しており、この安全キャップ５１は、雰囲気温度が高温になったときに給排気弁６３を開弁させてアキュムレータ６１内の封入ガスＧを大気開放する機能を有している。またこの安全キャップ５１は、その構成要素として、キャップボディ５２、ピストン５３、バネ５４およびヒューズメタル５５等を有しており、雰囲気温度が高温となってヒューズメタル５５が溶解するとピストン５３がバネ５４に押されて図上下方へ移動し、給排気弁６３の弁棒６４を押圧して給排気弁６３を開弁させ、開弁した給排気弁６３から排出される封入ガスＧをガス吹出口５６から大気開放するように作動する。
【０００４】
しかしながら、上記従来の安全キャップ５１においては、雰囲気温度が未だ常温であってヒューズメタル５５が溶解せずピストン５３が移動せず給排気弁６３が閉弁しているときであっても、給排気弁６３から封入ガスＧが漏洩すると、この漏洩したガスＧはガス吹出口５６から大気開放されてしまう。したがってガスＧが継続的に漏洩し、結果、アキュムレータ６１の機能が損なわれる虞がある。
【０００５】
【特許文献１】特開２００２−１１５７０１号公報
【考案の開示】
【考案が解決しようとする課題】
【０００６】
本考案は以上の点に鑑みて、雰囲気温度が未だ常温であってヒューズメタルが溶解せずピストンが移動していない状態において、給排気弁から封入ガスが漏洩することがあっても、この漏洩したガスをシールすることが可能であり、もってガスの継続的な漏洩を抑え、アキュムレータの機能が損なわれるのを防止することができる安全キャップを提供することを目的とする。
【課題を解決するための手段】
【０００７】
上記目的を達成するため、本考案の請求項１による安全キャップは、給排気弁とともにアキュムレータに装着されて、雰囲気温度が高温になったときに前記給排気弁を開弁させて前記アキュムレータ内の封入ガスを大気開放する安全キャップであって、ガス吹出口を設けたキャップボディの内部に移動自在に配置されるとともに一方向に移動したときに前記給排気弁を押圧して開弁させるピストンと、前記ピストンを一方向に弾性付勢するバネと、前記ピストンの一方向への移動を阻止する位置に配置されるとともに雰囲気温度が高温となったときに溶解して前記ピストンの移動を許容するヒューズメタルとを有し、更に、前記ヒューズメタルが溶解せず前記ピストンが移動せず前記給排気弁が閉弁しているときに前記給排気弁を漏洩したガスが前記ガス吹出口に到達するのを抑制するとともに、前記ヒューズメタルが溶解し前記ピストンが移動し前記給排気弁が開弁したときに前記給排気弁から排出されたガスを流通させるシール部を有することを特徴とする
【０００８】
また、本考案の請求項２による安全キャップは、上記した請求項１の安全キャップにおいて、シール部は、作動に伴い相対変位するピストンおよびキャップボディ間に配置されるＯリング等のパッキンを有することを特徴とする。
【０００９】
また、本考案の請求項３による安全キャップは、上記した請求項１の安全キャップにおいて、ピストンは、給排気弁の弁棒を押圧するピストンロッドを有し、キャップボディは、前記ピストンロッドを挿通する内向きフランジ部と、この内向きフランジ部の内面に開口するガス吹出口とを有し、シール部は、前記ピストンロッドに装着されて前記内向きフランジ部の内面に摺動自在に密接するＯリング等のパッキンを有し、前記パッキンは、ヒューズメタルが溶解してピストンが移動したときに前記内向きフランジ部の内面から外れてガスの流れを許容する位置に設けられていることを特徴とする。
【考案の効果】
【００１０】
本考案は、以下の効果を奏する。
【００１１】
すなわち、上記構成を備えた本考案の請求項１による安全キャップにおいては、雰囲気温度が未だ常温であってヒューズメタルが溶解せずピストンが移動せず給排気弁が閉弁しているときに給排気弁から封入ガスが漏洩すると、この漏洩したガスをシール部にてシールすることが可能とされている。またこのシール部は、雰囲気温度が高温となってヒューズメタルが溶解しピストンが移動し給排気弁が開弁すると給排気弁から排出されたガスを流通させるので、このガスをガス吹出口から大気開放することが可能とされている。したがって、当該キャップは独自に安全弁として機能し、ガスの継続的な漏洩を抑え、アキュムレータの機能低下を抑え、もってアキュムレータの信頼性を向上させることができる。
【００１２】
また、本考案の請求項２による安全キャップにおいては、雰囲気温度が未だ常温であってヒューズメタルが溶解せずピストンが移動せず給排気弁が閉弁しているときに給排気弁から封入ガスが漏洩すると、この漏洩したガスを、ピストンおよびキャップボディ間に配置されるＯリング等のパッキンを有するシール部にてシールすることが可能とされている。またこのシール部は、雰囲気温度が高温となってヒューズメタルが溶解しピストンが移動し給排気弁が開弁すると給排気弁から排出されたガスを流通させるので、このガスをガス吹出口から大気開放することが可能とされている。したがって、当該キャップは独自に安全弁として機能し、ガスの継続的な漏洩を抑え、アキュムレータの機能低下を抑え、もってアキュムレータの信頼性を向上させることができる。
【００１３】
また、本考案の請求項３による安全キャップにおいては、雰囲気温度が未だ常温であってヒューズメタルが溶解せずピストンが移動せず給排気弁が閉弁しているときに給排気弁から封入ガスが漏洩すると、この漏洩したガスを、ピストンロッドに装着されて内向きフランジ部の内面に摺動自在に密接するＯリング等のパッキンを有するシール部にてシールすることが可能とされている。またこのパッキンは、雰囲気温度が高温となってヒューズメタルが溶解しピストンが移動し給排気弁が開弁すると内向きフランジ部の内面から外れてガスの流れを許容するので、このガスをガス吹出口から大気開放することが可能とされている。したがって、当該キャップは独自に安全弁として機能し、ガスの継続的な漏洩を抑え、アキュムレータの機能低下を抑え、もってアキュムレータの信頼性を向上させることができる。
【考案を実施するための最良の形態】
【００１４】
つぎに本考案の実施例を図面にしたがって説明する。
【００１５】
図１は、本考案の実施例に係る安全キャップ１を示しており、図１（Ａ）はその平面図、図１（Ｂ）は図１（Ａ）におけるＢ−Ｏ−Ｂ線断面図をそれぞれ示している。また、図２は同安全キャップ１の装着状態の断面図、図３は同安全キャップ１の作動状態の断面図をそれぞれ示している。
【００１６】
図２に示すように、当該実施例に係る安全キャップ１は、給排気弁（ガスバルブとも称する）６３とともにアキュムレータ６１のガス封入口６２に装着されて、雰囲気温度が高温になったときに給排気弁６３を開弁させてアキュムレータ６１内の封入ガスＧを大気開放する機能を有するものであって、以下のように構成されている。
【００１７】
すなわち先ず、アキュムレータ６１のガス封入口６２にネジ部６をもって気密的に連結されるキャップボディ２が設けられており、このキャップボディ２の内部に、ガス封入口６２をねじ込むための下室３と、ピストン１１等の作動部品を収容する上室４との間に位置して、内向きフランジ部５が設けられている。上記ネジ部６は下室３の内面に設けられている。内向きフランジ部５の内面にはガス吹出口７が開口しており、このガス吹出口７はボディ２の外面に達して開口している。
【００１８】
上室４に、ピストン１１が挿入されている。このピストン１１は、円板状のピストン本体１２とピストンロッド１３を一体に有しており、ピストンロッド１３は内向きフランジ部５の内周に摺動自在に挿通されている。上室４の上端に止め輪１５が固定されて、ピストン１１とこの止め輪１５の間にバネ１６とワッシャ１７が介装されている。バネ１６は、所要数皿バネよりなり、ピストン１１を下方向に弾性付勢している。また、ピストン１１と内向きフランジ部５の間であってピストン本体１２の下側にはヒューズメタル（溶材とも称する）１８が介装されており、このヒューズメタル１８は所定の温度（例えば１５０℃）で溶解する共晶合金等にて成形されている。
【００１９】
また、ボディ２の内部に、シール部２１が設けられており、このシール部２１は、ピストンロッド１３の外面に設けた装着溝１４に装着されて内向きフランジ部５の内面に摺動自在に密接するＯリング等のパッキン２２を有している。このＯリング等のパッキン２２は、ヒューズメタル１８が溶解してピストン１１が移動したとき、内向きフランジ部５の内面から外れてガスＧの流れを許容する位置に設けられている。
【００２０】
また、内向きフランジ部５の下端内周に設けた段差部８に、キャップボディ２およびアキュムレータ６１のシェル間をシールするため、Ｏリング等のパッキン２３が装着されている。
【００２１】
図２は、雰囲気温度が未だ常温であってヒューズメタル１８が溶解せずピストン１１が移動せず給排気弁６３が閉弁している状態を示しており、この状態において、ピストンロッド１３の装着溝１４に装着されたパッキン２２は、内向きフランジ部５の内面に密接している。したがって、給排気弁６３から封入ガスＧが漏洩しても、この漏洩したガスＧをシールすることが可能とされており、漏洩したガスＧが下室３に充満して下室３とアキュムレータ６１内の圧力が等しくなると、もはやガスＧは漏洩せず、よって漏れ量を最小限にとどめることができる。
【００２２】
また、図２の状態から雰囲気温度が高温となってヒューズメタル１８が溶解すると、図３に示すように、ピストン１１がバネ１６に押されて下方へ移動し、給排気弁６３の弁棒６４を押圧して給排気弁６３を開弁させる。またこのとき、シール部２１のパッキン２２が内向きフランジ部５の内面から外れるので、下室３からガス吹出口７へ通じるガス開放流路が開放される。したがって、アキュムレータ６１内の封入ガスＧをガス吹出口７から速やかに大気開放することができる。
【００２３】
したがって、以上のように当該キャップ１は、独自に安全弁機能を有し、ガスＧの継続的な漏洩を抑え、アキュムレータ６１の機能低下を抑えることができ、もってアキュムレータ６１の信頼性を向上させることができる。尚、溶解したヒューズメタル１８は、ピストン１１の外周から上方へ流れ出すことになる。
【図面の簡単な説明】
【００２４】
【図１】本考案の実施例に係る安全キャップの単品図であって、図１（Ａ）はその平面図、図１（Ｂ）はその縦断面図であって図１（Ａ）におけるＢ−Ｏ−Ｂ線断面図
【図２】同安全キャップの装着状態を示す縦断面図
【図３】同安全キャップの作動状態を示す縦断面図
【図４】従来例に係る安全キャップの縦断面図
【符号の説明】
【００２５】
１  安全キャップ
２  キャップボディ
３  下室
４  上室
５  内向きフランジ部
６  ネジ部
７  ガス吹出口
８  段差部
１１  ピストン
１２  ピストン本体
１３  ピストンロッド
１４  装着溝
１５  止め輪
１６  バネ
１７  ワッシャ
１８  ヒューズメタル
２１  シール部
２２，２３  パッキン
６１  アキュムレータ
６２  ガス封入口
６３  給排気弁
６４  弁棒
Ｇ  封入ガス
【図１】
0003119724.tif 000003
【図２】
0003119724.tif 000004
【図３】
0003119724.tif 000005
【図４】
0003119724.tif 000006